(57)【要約】【課題】運動の間の休憩時間を有効に利用して運動のモチベーションを向上できる自転車型エルゴメータを提供する。【解決手段】自転車型エルゴメータは、下肢を動かす運動により回転するペダルを備える自転車型エルゴメータにおいて、運動者のバイタルデータが保存されるバイタルデータ保存手段と、運動中の運動者の問診データが保存される問診データ保存手段および上記バイタルデータと上記問診データとを比較し運動の実施状況を求める比較手段を有する制御部と、を備える。【選択図】図１
2009077916.tif 000002
【特許請求の範囲】
【請求項１】
下肢を動かす運動により回転するペダルを備える自転車型エルゴメータにおいて、
運動者のバイタルデータが保存されるバイタルデータ保存手段と、
運動中の運動者の問診データが保存される問診データ保存手段および上記バイタルデータと上記問診データとを比較し運動の実施状況を求める比較手段を有する制御部と、
を備えることを特徴とする自転車型エルゴメータ。
【請求項２】
上記制御部は、上記比較手段が求めた運動の実施状況に基づき運動者の最適な運動プログラムを設定する手段を有することを特徴とする請求項１に記載の自動車型エルゴメータ。
【請求項３】
上記制御部は、運動者の食事内容と運動の実施状況とを比較し運動者の運動量を算出する手段を有することを特徴とする請求項２に記載の自転車型エルゴメータ。
【発明の詳細な説明】
【技術分野】
【０００１】
この発明は、体力の維持、向上や減量を目的とした運動を簡単に行うための自転車型エルゴメータに関するものである。
【背景技術】
【０００２】
従来、体力の維持、向上や減量を目的とした運動を行うために運動者が下肢を動かすことにより回転するペダルを備える自転車型エルゴメータが提案されている（例えば、特許文献１参照）
そして、エルゴメータを使用して運動しているとき、運動者の最大酸素摂取量を簡易に計測し運動者のスポーツマン度や疲労度についての客観的数値を表示する運動モニタが提案されている（例えば、特許文献２参照）。
また、エルゴメータを使用して運動しているとき、スクリーンに風景を映し出して運動者がゲーム感覚を楽しんだりしている。
【０００３】
【特許文献１】特開平６−７４７６号公報
【特許文献２】特開平５−３２９１３６号公報
【発明の開示】
【発明が解決しようとする課題】
【０００４】
自転車型エルゴメータを使用して運動するとき、一般的には３０分間から１時間程度継続して運動を行っており、運動中、負荷の状況や運動時間、心拍数などを自分で確認しながら運動を行っているが、運動の間の休憩時間には特に行うことがないので、時間を持て余す状況に追い込まれる。そこで、携帯音楽装置で音楽を聴いたり、備え付けのＴＶを見たり、雑誌を読んだり運動者自ら空いた時間の過ごし方を工夫しなければならい。
【０００５】
この発明の目的は、運動の間の休憩時間を有効に利用して運動のモチベーションを向上できる自転車型エルゴメータを提供することである。
【課題を解決するための手段】
【０００６】
この発明に係る自転車型エルゴメータは、下肢を動かす運動により回転するペダルを備える自転車型エルゴメータにおいて、運動者のバイタルデータが保存されるバイタルデータ保存手段と、運動中の運動者の問診データが保存される問診データ保存手段および上記バイタルデータと上記問診データとを比較し運動の実施状況を求める比較手段を有する制御部と、を備える。
【発明の効果】
【０００７】
この発明に係る自転車型エルゴメータの効果は、バイタルデータと問診データとを比較し次の運動以降で消費することが好ましいカロリーを表示するので、従来は持て余していた運動の間の休憩時間を有効に利用して次の運動の準備を行うことができることである。
【発明を実施するための最良の形態】
【０００８】
実施の形態１．
図１は、この発明の実施の形態１に係る自転車型エルゴメータの概略構成を示す側面図である。図２は、この発明の実施の形態１に係る自転車型エルゴメータの本体部の斜視図である。図３は、この発明の実施の形態１に係る操作パネルの外観図である。図４は、この発明の実施の形態１に係るマイクロコンピュータの機能ブロック図である。
この発明の実施の形態１に係る自転車型エルゴメータは、本体部１、本体部１に対面にして運動者が座るリクライニング式のイス２、運動者が携帯するバイタルデータ保存手段としてのＩＣカード３、および、本体部１とイス２とを一体化するレールベース４を備える。
【０００９】
本体部１は、運動者が踏むペダル５、ペダル５を踏むと回転するペダル軸プーリー６、サーボモータ７、サーボモータ７の回転力をペダル軸プーリー６へ伝える動力伝達機構８、サーボモータ７を制御する制御装置としてのサーボアンプ９、およびこれらを内蔵するケース１０を備える。
動力伝達機構８は、図２に示すように、中間軸１１の両端に固着された２つの中間プーリー１２ａ、１２ｂ、中間プーリー１２ａ、１２ｂとペダル軸プーリー６およびサーボモータ７とに懸回されたベルト１３、１４とにより構成されている。
サーボモータ７には、その回転速度を検出するエンコーダなどよりなる速度検出部としての速度センサ１５が内蔵されている。
中間プーリー１２ａには、側面に磁石１６が固定されている。
ケース１０には、中間プーリー１２ａが回転したときに磁石１６が描く軌跡をケース１０上に投影したときの線に重なる位置にセンサ１７が配置されている。
【００１０】
また、本体部１は、運動者が体を支えるためのハンドルポール１８、体脂肪計１９、血圧計２０、運動者の耳たぶに装着する光電式イヤーセンサ２１および操作パネル２２を備える。ハンドルポール１８は、運動者が握るハンドル２３を設けられている。
体脂肪計１９は、一般的な体脂肪計であり説明は省略する。
血圧計２０は、血圧を計測できる一般的な血圧計であり説明は省略する。
光電式イヤーセンサ２１は、脈拍を計測できる一般的な脈拍計であり説明は省略する。
操作パネル２２は、図３に示すように、制御部としてのマイクロコンピュータ３１、表示部３２、操作部３３およびＩＣカード３が挿入される挿入部３４を備える。
【００１１】
マイクロコンピュータ３１は、図４に示すように、ＩＣカード３が運動開始時に運動者により挿入部３４に挿入されたとき、ＩＣカード３から当日データを読み取り、読み取った歩数から当日の運動開始時点までに消費されたカロリーを算出し、表示部３２に体重、血圧、歩数および消費カロリーを表示する運動開始前表示手段４１、当日に消費されたカロリーが記憶される消費カロリー記憶手段４２、および、運動者が自転車型エルゴメータに対してペダリング運動を行っているとき、体脂肪計１９が計測する体脂肪率、血圧計２０が計測する血圧、光電式イヤーセンサ２１が計測する単位時間当たりの心拍数を収集し、収集した体脂肪率、血圧および心拍数を表示部３２に表示する運動中表示手段４３を有する。
【００１２】
また、マイクロコンピュータ３１は、運動者が図示しない終了ボタンをＯＦＦしてペダリング運動を終了したとき、ペダリング運動による消費カロリーを算出し、算出したペダリング運動による消費カロリーを消費カロリー記憶手段４２に記憶されている値に累算する運動消費カロリー算出手段４４、血圧、体脂肪率、心拍数および累算した消費カロリーからなる問診データを表示部３２に表示する問診データ表示手段４５、および、問診データを保存する問診データ保存手段４６、および、運動の実施状況として消費カロリーの標準データに対し累算した消費カロリーの過不足を算出する比較手段４７を有する。
表示部３２は、液晶パネルを含む一般的なモニタであり説明は省略する。
操作部３３は、キーボードが配置されている。
【００１３】
イス２は、スライドレバー２６を操作することにより、イス土台２７上を操作パネル２２に対して前後にスライドさせることができる。
レールベース４には、長さ方向の端部には移動用の車輪２８が設けられている。
【００１４】
ＩＣカード３には、当該運動者の年齢および性別から決まってくる血圧、体脂肪率、心拍数および運動により消費しなければならない消費カロリーの標準データからなるバイタルデータが記憶されている。
また、ＩＣカード３には、運動者が日々入力した日々の運動者の体重、血圧および歩数からなる当日データが記憶されている。
【００１５】
次に、この発明に係る自転車型エルゴメータで運動するときの手順を説明する。
運動者は、ＩＣカード３に当日の体重、血圧および運動開始迄に当日の歩行運動による歩数を入力する。なお、ＩＣカード３には運動者本人のバイタルデータが記憶されている。
運動者は、ＩＣカード３を操作パネル２２の挿入部３４に挿入する。すると、操作パネル２２の表示部３２に体重、血圧、歩数および消費カロリーが表示される。
運動者は、耳たぶに光電式イヤーセンサ２１を装着するとともに操作部３３を操作して自転車型エルゴメータの負荷を設定する。
それから、運動者は自転車型エルゴメータのペダリング運動を開始する。すると、体脂肪計１９が体脂肪率を、血圧計２０が血圧を、光電式イヤーセンサ２１が単位時間当たりの心拍数を計測し、操作パネル２２の表示部３２に体脂肪率、血圧および心拍数が表示される。運動中は操作パネル２２の表示部３２に体脂肪率、血圧および心拍数が表示されている。
次に、運動者は終了ボタンをＯＦＦしてペダリング運動を終了する。すると、操作パネル２２の表示部３２に血圧、体脂肪率、心拍数およびそれまでに消費されたカロリーが表示される。また、バイタルデータ（血圧、体脂肪率、心拍数、消費カロリーの標準データ）と問診データ（血圧、体脂肪率、心拍数、実際に消費されたカロリーの実績データ）との差異から運動の過不足が求められ表示部３２に表示される。
運動者は休憩時間にバイタルデータと問診データとの差異から求められた運動の過不足を確認して、次の運動のプログラムを設定したりして準備を行う。
このように休憩時間を利用し運動の過不足を確認し次にどのような運動が適切なのかが分かるので、運動に対するモチベーションを向上することができる。
【００１６】
この発明の実施の形態１に係る自転車型エルゴメータは、バイタルデータと問診データとを比較して次の運動で消費する必要なカロリーを表示するので、従来は持て余していた運動の間の休憩時間を有効に利用して次の運動の準備を行うことができる。
【００１７】
実施の形態２．
図５は、この発明の実施の形態２に係るマイクロコンピュータの機能ブロック図である。
この発明の実施の形態２に係る自転車型エルゴメータは、この発明の実施の形態１に係る自転車型エルゴメータとマイクロコンピュータ３１Ｂが異なっており、それ以外は同様であるので同様な部分に同じ符号を付記し説明は省略する。
この発明の実施の形態２に係るマイクロコンピュータ３１Ｂは、図５に示すように、この発明の実施の形態１に係るマイクロコンピュータ３１に運動プログラム設定手段４８を追加したことが異なっており、それ以外は同様であるので同様な部分に同じ符号を付記し説明は省略する。
【００１８】
運動プログラム設定手段４８は、バイタルデータと問診データとを総合的に判断し運動者の健康状態を把握し、把握した健康状態に基づいて運動者への最適な運動プログラムを設定するとともに表示部３２に表示する。
【００１９】
この発明の実施の形態２に係る自転車型エルゴメータは、バイタルデータと問診データとを総合的に判断し運動者の健康状態を把握し、把握した健康状態に基づいて運動者への最適な運動プログラムを表示するので、従来は持て余していた運動の間の休憩時間を有効に利用して次の運動の準備を行うことができる。
また、健康状態に最適な運動プログラムに自転車型エルゴメータが制御するので、軽すぎる運動または重すぎる運動を運動者が行ってしまい逆に体を壊してしますということが防げる。
また、最適な運動プログラムが表示されるので、運動者は健康に関するアドバイスのデータとして利用することができる。
【００２０】
実施の形態３．
図６は、この発明の実施の形態３に係るマイクロコンピュータの機能ブロック図である。
この発明の実施の形態３に係る自転車型エルゴメータは、この発明の実施の形態１に係る自転車型エルゴメータとマイクロコンピュータ３１Ｃが異なっており、それ以外は同様であるので同様な部分に同じ符号を付記し説明は省略する。
この発明の実施の形態３に係るマイクロコンピュータ３１Ｃは、図６に示すように、この発明の実施の形態１に係るマイクロコンピュータ３１に運動量算出手段４９を追加したことが異なっており、それ以外は同様であるので同様な部分に同じ符号を付記し説明は省略する。
【００２１】
運動量算出手段４９は、日常の食生活を問診により聞き取り、聞き取った食生活の内容から栄養の状態の判定も行い、判定した栄養状態から必要とする運動量および最適な運動強度を算出するとともに表示部３２に表示する。例えば食生活から塩分および糖分の摂取量を推定し、推定した塩分および糖分と日々の消費カロリーの推移から、必要とする運動量および最適な運動強度を算出し表示部３２に表示する。
【００２２】
この発明の実施の形態３に係る自転車型エルゴメータは、栄養状態に対して必要とする運動量および最適な運動強度を表示するので、従来は持て余していた運動の間の休憩時間を有効に利用して次の運動の準備を行うことができる。
また、栄養状態に対して必要とする運動量および最適な運動強度になるように自転車型エルゴメータが制御されるので、栄養状態のバランスを壊すような運動を運動者が行うことを防ぐことができる。
【図面の簡単な説明】
【００２３】
【図１】この発明の実施の形態１に係る運動器具の概略構成を示す側面図である。
【図２】この発明の実施の形態１に係る運動器具の本体部の斜視図である。
【図３】この発明の実施の形態１に係る操作パネルの斜視図である。
【図４】この発明の実施の形態１に係るマイクロコンピュータの機能ブロック図である。
【図５】この発明の実施の形態２に係るマイクロコンピュータの機能ブロック図である。
【図６】この発明の実施の形態３に係るマイクロコンピュータの機能ブロック図である。
【符号の説明】
【００２４】
１  本体部、２  イス、３  ＩＣカード、４  レールベース、５  ペダル、６  ペダル軸プーリー、７  サーボモータ、８  動力伝達機構、９  サーボアンプ、１０  ケース、１１  中間軸、１２ａ、１２ｂ  中間プーリー、１３、１４  ベルト、１５  速度センサ、１６  磁石、１７  センサ、１８  ハンドルポール、１９  体脂肪計、２０  血圧計、２１  光電式イヤーセンサ、２２  操作パネル、２３  ハンドル、２６  スライドレバー、２７  イス土台、２８  車輪、３１、３１Ｂ、３１Ｃ  マイクロコンピュータ、３２  表示部、３３  操作部、３４  挿入部、４１  運動開始前表示手段、４２  消費カロリー記憶手段、４３  運動中表示手段、４４  運動消費カロリー算出手段、４５  問診データ表示手段、４６  問診データ保存手段、４７  比較手段、４８  運動プログラム設定手段、４９  運動量算出手段。
【図１】
2009077916.tif 000003
【図２】
2009077916.tif 000004
【図３】
2009077916.tif 000005
【図４】
2009077916.tif 000006
【図５】
2009077916.tif 000007
【図６】
2009077916.tif 000008